(57)【特許請求の範囲】
【請求項１】
Ｘ，Ｙ，Ｚ軸方向に抵抗を有する感圧抵抗シートと、この感圧抵抗シートのＺ軸方向の抵抗に対して電流を流すべく該感圧抵抗シートの厚み方向の表裏各面にそれぞれドットスペーサを介して設けた電極シートと、前記感圧抵抗シートのＸ，Ｙ軸方向に電流を流すべく該感圧抵抗シートの周縁部に設けた電極部と、を備えた指示体のＸ，Ｙ，Ｚ軸方向の操作に伴う抵抗値を検知する触覚センサであって、前記感圧抵抗シートは、透明フィルムに表裏を貫通する複数の孔を形成し、さらに該透明フィルムの表裏面に前記孔を充填した導電層を設けたことを特徴とする触覚センサ。
【請求項２】
感圧抵抗シートにおける透明フィルムの破断強度が５０〜３００ＭＰａであることを特徴とする請求項１記載の触覚センサ。
【請求項３】
指示体のＸ，Ｙ，Ｚ軸方向の操作に伴う抵抗値を検知すると共に、見者側と反対側に配置された映写手段からの出力光が映写されるリアプロジェクション用の情報ボードにおいて、請求項１又は請求項２の触覚センサを用い、かつ該触覚センサ全体としての光透過率を２０〜７０％としたことを特徴とする情報ボード。
【請求項４】
見者側と反対側に配置された表示手段からの表示に対応して指示体をＸ，Ｙ，Ｚ軸方向に操作するタッチパネルにおいて、請求項１又は請求項２の触覚センサを用い、かつ該触覚センサ全体としての透過率を７０〜９０％としたことを特徴とするタッチパネル。
【発明の詳細な説明】
【技術分野】
【０００１】
本発明は、Ｘ，Ｙ，Ｚ軸方向に抵抗を有する感圧抵抗シートと、感圧抵抗シートの厚み方向の表裏各面にそれぞれドットスペーサを介して設けた電極シートと、を備えた触覚センサ及び情報ボード並びにタッチパネルに係り、Ｘ，Ｙ，Ｚ軸方向の感圧能力を低下させることなく、全体の透過率、感圧抵抗シートに塗布する導電剤の種類や量、電極シートの種類など、の自由度を向上させて用途の拡大を図ると共に、Ｚ軸方向の押圧量検知のための適度な強度の向上させて自然で正確な押圧量検知を図るための技術に関する。
【背景技術】
【０００２】
例えば、下記の特許文献１に記載された触覚センサは、Ｘ軸方向とＹ軸方向の抵抗値と共に、そのＺ軸方向（厚み方向）への押圧量に応じた抵抗値をも検知すべく、感圧抵抗シートと、該感圧抵抗シートを厚み方向の両側から挟むように配置され、該感圧抵抗シートに向かった面に導電性を有する一対の導電性シート（以下、電極シートと記す）、を備えた構成とされている。
【０００３】
また、下記の特許文献２では、本出願人等が上記の感圧抵抗シートを考察及び改良して、これを、昨今の黒板に代わってボード上に様々なデータを映写しつつ該ボード上で使用する例えば電子ペン、指、指し棒など接触させた部位を指示する指示体の操作に伴った電気的変化を検知し、この検知結果を映写するデータに反映させる、いわゆる電子黒板と称される情報ボードについて出願している。
【先行技術文献】
【特許文献】
【０００４】
【特許文献１】特許第３７２７６４２号公報
【特許文献２】特願２０１０−３７７２７
【０００５】
特許文献１の触覚センサにおける上記感圧抵抗シートは、具体的には、カーボンを混入させたポリエチレンフィルムを採用することが記載されている。また、特許文献１において、感圧抵抗シートは（Ｚ軸方向も含めて）Ｘ，Ｙ軸方向にも所定の抵抗値が得られるならば、シリコンゴムと金属又はカーボン粒子からなる複合材料を用いたり、その他材料を使用しても構わないと記載されている。
【０００６】
また、特許文献１において、電極シートは、ＰＥＴ（ＰｏｌｙＥｔｈｙｌｅｎｅＴｅｒｅｐｈｔｈａｌａｔｅ）表面にアルミが蒸着されたアルミＰＥＴ、ＰＩ（ＰｏｌｙＩｍｉｄｅ）に導電膜を張ったフレキシブルプリント基板などを使用することが記載されている。さらに、特許文献１の触覚センサは、応用装置として、例えばロボット、介護用の椅子やベッドなどが挙げられている。
【０００７】
特許文献２の情報ボードは、情報生成手段と接続され、特許文献１の触覚センサを改良して採用して、指示体の操作に伴う、Ｘ，Ｙ，Ｚ軸方向の抵抗値を検知し、これら検知した抵抗値のデータを該情報生成手段に対して出力する構成となっている。
【０００８】
すなわち特許文献２の情報ボードは、特許文献１の触覚センサについてセンサ機能のみならず、表示機能をも要求される点、つまり該特許文献２で目的とする背面照射型の情報ボードで透過性が高いと見る側からはまぶしく、また、透過性が低いと見る側では見にくい点を解消すべく、感圧抵抗シートの透過率を２０〜７０％とし、この感圧抵抗シートの両面に各々ドットスペーサを介して透明の電極シートを積層することとしている。
【０００９】
しかしながら、特許文献１，２においては、それらの用途において感圧抵抗シート及び該感圧抵抗シートを構成する材料について、透明性（ここで言う透明とは特許文献２のような透過性の高低ではなく単純に無色透明であるか否かを意味する）を問題としてなく、かつ、Ｚ軸の押圧量検知のための適度な強度について問題としていなかった。
【００１０】
したがって、特許文献１，２における触覚センサは、まず、透明性を要する、例えば裏面側の表示に併せて指示体を３次元操作する例えばタッチパネルに、例えば特許文献１，２の触覚センサ構成を適用したとすると、裏面側の表示を良好に透過するための配慮がないので見にくく、用途として使用不可能となる。
【００１１】
また、仮に特許文献１，２の触覚センサ構成において透明性を確保し得る材料を採用して３次元操作するタッチパネルとしたとしても、Ｚ軸の押圧量検知のための適度な強度ではない場合、つまり押圧量検知に寄与しない撓みが生じる場合、弱く押圧しても強く押圧したと検知（誤検知）したり、あるいは強く押圧しても既に必要以上に撓んでしまって抵抗値が変動せず誤検知となる場合、がある。
【００１２】
さらに、上記において、Ｚ軸方向の押圧量検知に寄与しない撓みによる誤検知を防止すべく、できるだけ撓まない構成とすると、今度は逆にかなり大きな押圧力に対してのみ押圧量を検知する（極端な例では小さい押圧力ではその押圧量を検知しない）という不具合が生じ、この場合も正確で自然な押圧量の検知ができない。
【発明の概要】
【発明が解決しようとする課題】
【００１３】
本願が解決しようとする問題は、従来の特許文献１，２の触覚センサ構成では、透過性が考慮されていないので触覚センサの裏面側の表示が見にくい点、及びＺ軸の押圧量検知のための適度な強度の考慮がないために（Ｚ軸方向の）正確で自然な押圧量の検知ができない点、である。
【課題を解決するための手段】
【００１４】
上記問題を解決するために、本発明の触覚センサは、Ｘ，Ｙ，Ｚ軸方向に抵抗を有する感圧抵抗シートと、この感圧抵抗シートのＺ軸方向の抵抗に対して電流を流すべく該感圧抵抗シートの厚み方向の表裏各面にそれぞれドットスペーサを介して設けた電極シートと、前記感圧抵抗シートのＸ，Ｙ軸方向に電流を流すべく該感圧抵抗シートの周縁部に設けた電極部と、を備えた指示体のＸ，Ｙ，Ｚ軸方向の操作に伴う抵抗値を検知する触覚センサであって、前記感圧抵抗シートは、透明フィルムに表裏を貫通する複数の孔を形成し、さらに該透明フィルムの表裏面に前記孔を充填した導電層を設けたことを最大の特徴とする。
【００１５】
また、本発明の情報ボードは、指示体のＸ，Ｙ，Ｚ軸方向の操作に伴う抵抗値を検知すると共に、見者側と反対側に配置された映写手段からの出力光が映写されるリアプロジェクション用の情報ボードとして、本発明の触覚センサを用い、かつ該触覚センサ全体としての透過率を２０〜７０％としたものである。
【００１６】
さらに、本発明のタッチパネルは、見者側と反対側に配置された表示手段からの表示に対応して指示体をＸ，Ｙ，Ｚ軸方向に操作するタッチパネルとして、本発明の触覚センサを用い、かつ該触覚センサ全体としての、ＪＩＳ  Ｋ７１０５：１９８１の測定方法に基づく全光線透過率（％）すなわち透過率を７０〜９０％としたものである。
【発明の効果】
【００１７】
本発明の触覚センサは、感圧抵抗シートを構成する材料として透明フィルムを採用しているから、基本的に透明性を確保することができ、よって、例えば透明であることが逆に障害となるリアプロジェクション用の情報ボードに用途として使用する場合は透過率を調整することができ、一方、透明でなければならないタッチパネルに用途として使用する場合は他部材も透明のものを採用して使用することができる。
【００１８】
また、本発明の触覚センサは、感圧抵抗シートを構成する透明フィルムの表裏を貫通する複数の孔を形成しているので、この孔の径やピッチを面積に応じて調整することで、透明フィルムの強度を一定に保つことができる。つまり、用途上の面積が大きい場合に、その面積中央部位で過剰に撓んだり、逆に撓まなかったりすることがなく、自然で正確な押圧量検知が実現する。
【図面の簡単な説明】
【００１９】
【図１】図１は、本発明の触覚センサを採用した本発明の情報ボードシステムの概略構成図である。
【図２】図２は、本発明の触覚センサの概略構成図である。
【発明を実施するための形態】
【００２０】
本発明の触覚センサ及び情報ボード並びにタッチパネルは、以下の形態で実施可能である。なお、本例においては、触覚センサを情報ボード、及び情報ボードシステムに用いた例にて説明する。
【００２１】
図１に示すように情報ボードシステム１は、指示体ＰのＸ，Ｙ，Ｚ軸方向の操作に伴う抵抗値を検知すると共に、後側（見者側と反対側）に配置された映写手段２からの出力光が映写される情報ボード３と、映写手段２と情報ボード３とに接続され、情報ボード３から出力される指示体のＸ，Ｙ，Ｚ軸方向の操作に伴う抵抗値に基づいて映写手段２へ出力する映写用データに変換して出力光の情報を生成する情報生成手段４と、を備えている。
【００２２】
ここで、指示体Ｐは、例えば指や指し棒でもよく、また、情報生成手段４に接続されて該情報生成手段４と協働する何らかの機能を有する電子ペンでもよい。すなわち、情報ボード３は、それ自体にＸ，Ｙ，Ｚ軸方向の抵抗値を検知する構成とされているから、指示体Ｐとしては該情報ボードに接触させて操作するものであれば何でも採用できる。
【００２３】
映写手段２は、本例ではリアプロジェクション用の、つまり出力光を左右反転させずにそのまま正投影するものが用いられる。これに対して通常の（情報ボードの前側に配置する）プロジェクターは、予め出力光を左右反転させるものが用いられる。
【００２４】
情報生成手段４は、本例では、パーソナルコンピュータを想定している。この情報生成手段４から映写手段２へは、パーソナルコンピュータの付属モニタに出力される信号が別ラインで出力される。一方、情報ボード３から情報生成手段４へは、パーソナルコンピュータの付属入力デバイスの代わりとして該情報ボード３上の指示体Ｐの操作に伴う抵抗値という電気信号が入力される。
【００２５】
情報ボード３には、本発明の触覚センサ１１が用いられている。図２に示すように、この触覚センサ１１は、指示体ＰのＸ，Ｙ，Ｚ軸方向の操作に伴う抵抗値を検知するために、Ｘ，Ｙ，Ｚ軸方向に抵抗を有する感圧抵抗シート１１Ａと、この感圧抵抗シート１１ＡのＺ軸方向の抵抗に対して電流を流すべく該感圧抵抗シートの厚み方向の表裏各面にそれぞれドットスペーサＳを介して設けた電極シート１１Ｂと、感圧抵抗シートのＸ，Ｙ軸方向に電流を流すべく該感圧抵抗シートの周縁部に設けた電極部（不図示）と、を備えている。
【００２６】
本発明の触覚センサ１１における感圧抵抗シート１１Ａは、透明かつ特定の破断強度がある透明フィルム材料が採用され、この透明フィルムに表裏を貫通する複数の孔１１ａを形成し、さらに該透明フィルムの表裏面に孔１１ａを充填した導電層を設けている。導電層は、具体的には、例えば本例においては、用途に応じた導電剤を孔１１ａに含浸させつつ表裏に塗布して形成している。
【００２７】
感圧抵抗シート１１Ａの透明フィルムとしては、上記のとおり透明で特定の破断強度がある、例えばポリエチレンテレフタレート、ポリエチレンナフタレート、ポリカーボネート、アクリル、トリアセチルセルロース、ポリフェニレンスルファイド、ポリエーテル・エーテル・ケトンが採用される。
【００２８】
透明フィルムに上記条件を設ける理由は、本発明の触覚センサ１１は、透明であることとＺ軸方向のある程度のしなりを維持しつつ過剰な撓みのないこと、の両者を目的としているからであり、例えば布材料等であると強度が低く（いわゆる、こしが無い状態）、導電剤の塗布条件によってさらにその強度が変動する可能性がある。
【００２９】
また、布材料等は、液体を含浸するので、例えば高湿度条件下での使用で、強度が変動したり、この強度の変動により抵抗値の感圧検知能が変動する可能性がある。
【００３０】
さらに、感圧抵抗シート１１Ａの強度は、次の透明フィルムについて諸条件を適性範囲内で変更することで、幅広い用途に採用できる。すなわち、透明フィルムそのものの物性については、ＡＳＴＭＤ８８２−６４Ｔの測定方法に基づく破断強度が５０〜３００ＭＰａ、より好ましくは１００〜３００ＭＰａのものを採用すればよい。なお、上記の例示材料は、いずれもこの破断強度の条件範囲内のものである。ちなみに低密度ポリエチレンは２０ＭＰａである。
【００３１】
透明でそのままである程度の強度が保たれていて、そのうえで液体が含浸しないことを条件を満たす透明フィルムの、破断強度が５０ＭＰａより低いと、強度を満たさず、過剰な撓みが生じて誤動作が発生する可能性があり、一方、破断強度が３００ＭＰａより高いと、後述の孔１１ａの微細孔加工精度の確保が困難となるほか、大きなＺ軸方向の押圧力でしか反応しなくなる可能性がある。
【００３２】
また、透明フィルムの厚みは、３０〜２００μｍ、好ましくは５０〜１５０μｍが良い。厚みが３０μｍより薄いと、感圧抵抗シート１１Ａの強度が低下して過剰な撓みが生じる可能性があり、一方、２００μｍより厚いと、強度が高く、つまりこしが有りすぎて押圧に対する感度（感圧検知能）低下を招く可能性があると共に、透明フィルム自体の色によって透明性が損なわれる可能性がある。
【００３３】
さらに、透明フィルムに設ける孔１１ａは、例えばマイクロドリル又はレーザー加工によって形成する。そして、この孔１１ａの径は、１０〜１００μｍ、好ましくは３０〜７０μｍが良い。この理由は、孔１１ａの径が、１０μｍより小さいと、塗布する導電剤を含浸させにくくなり感圧検知能が低下する可能性があり、１００μｍより大きいと、孔１１ａの存在が目視でき、この場合は模様として認識されてしまう点で透明性が損なわれ、また、この孔１１ａの部分的な強度が低下して他との不均衡が生じることとなり、孔１１ａの部位とそうでない部位との感圧検知能の差が生じる。
【００３４】
透明フィルムに設ける孔１１ａのピッチは、１〜３０ｍｍ、好ましくは５〜１５ｍｍが良い。この理由は、孔１１ａのピッチが１ｍｍより小さいと、孔１１ａの存在が模様として認識されてしまう点で透明性が損なわれ、一方、孔１１ａのピッチが３０ｍｍより大きいと、孔１１ａの存在しない部分の強度が高くなって他との不均衡が生じることとなり、孔１１ａの部位とそうでない部位との感圧検知能の差が生じる。
【００３５】
感圧抵抗シート１１Ａの孔１１ａに含浸させつつ表裏に塗布する導電剤としては、例えばカーボンナノチューブ、銀ナノワイヤー、酸化インジウムスズ、酸化亜鉛、インジウムガリウム酸化亜鉛、グラファイト、グラフェン、ポリエチレンジオキシチオフェン等の導電性ポリマーが採用できる。ここで、本発明の触覚センサ１１の特徴として、上記のように感圧抵抗シート１１Ａにおける透明フィルムが、基本的に無色透明であることから、この導電剤を用途や感圧検知能に応じて幅広く適用できる点にある。
【００３６】
例えば、導電剤は、上記の銀ナノワイヤーの場合はウェット３〜３０ｇ／ｍ2 （固形分１ｗｔ％）、カーボンナノチューブの場合はウエット９〜２０ｇ／ｍ2 （固形分１ｗｔ％）の範囲といったように調整する。この塗布条件は、導電剤の塗布量が範囲未満であれば導電性が低くなることに起因した押圧検知能の低下、範囲を超えると透明性が損なわれる、点に着目して決定する。
【００３７】
導電剤は、ウエット（例えばウエットの１５ｇ／ｍ2 の場合はドライのおよそ０．１５ｇ／ｍ2 に相当）で、グラビア、メイヤバー、スロットダイなどにより、孔１１ａに十分に導電剤が含浸するように両面に塗布する。
【００３８】
感圧抵抗シート１１Ａの両面に各々ドットスペーサＳを介して積層された一対の電極シート１１Ｂ，１１Ｂは、本例の場合、透明としており、感圧抵抗シート１１Ａの厚み方向の表裏各面に、ドットスペーサＳを介してそれぞれ設けられ、感圧抵抗シート１１ＡのＺ軸方向の抵抗に対して電流を流す電極として機能させる。
【００３９】
電極シート１１Ｂ，１１Ｂは、例えば本例では、基材となるポリエステルフィルム（透明＝透過率９０％以上）に格子状の金属パターンを設けて導電性を持たせたものを採用する。また、電極シート１１Ｂ，１１Ｂは、上記の構成の他、基材をポリエチレンテレフタレート、ポリフェニルスルファイド、ポリエーテル・エーテル・ケトンとして、この基材に格子状パターンの導電膜を設けたフレキシブルプリント基板を採用してもよい。
【００４０】
ドットスペーサＳは、情報ボード３における前側の電極シート１１Ｂから押圧がかからないとき、電極シート１１Ｂ，１１Ｂ間を絶縁状態にするためのものであり、例えば数ミリから数十ミクロンの球状の樹脂でなり、電極シート１１Ｂ，１１Ｂの面に対して均一的に配置されて設けられる。
【００４１】
そして、触覚センサ１１において感圧抵抗シート１１Ａに電気的特性を持たせるための概略構成は次のとおりである。感圧抵抗シート１１Ａの周辺部には、Ｘ方向に電流を流すための対をなす第１電極部と、Ｙ方向に電流を流すための対をなす第２電極部とが設けられる。また、感圧抵抗シート１１Ａの４隅部には、Ａ電極とＢ電極とＣ電極とＤ電極とがそれぞれ設けられる。
【００４２】
対をなすうちの、一方の第１電極部はＡ電極とＣ電極とで構成され、他方の第１電極部がＢ電極とＤ電極とで構成される。また、対をなすうちの、一方の第２電極部が、Ａ電極とＢ電極とで構成され、他方の第２電極部が、Ｃ電極とＤ電極とで構成されている。
【００４３】
上記構成の情報ボード３による指示体Ｐの操作に伴う抵抗値の検知原理については、特許文献１に詳細に説明されているので（本発明では、電気的特性に関しては特許文献１と同様であると共に電気的特性に関する点を特徴としていないので）割愛し、以下に本発明の触覚センサ１１の適性強度について及び用途例について説明し、本発明の触覚センサ１１の実施例はさらに後述する。
【００４４】
例えば、本例における感圧抵抗シート１１Ａにおいて、ＸＹ方向の抵抗値が２００〜数十ｋΩの抵抗値、厚さ方向（Ｚ軸方向）の抵抗値は強い圧力（指圧５００ｇ）がかかったときには抵抗値が低く（２００Ω）なり、弱い圧力（指圧５０ｇ）がかかったときには抵抗値が高く（２０００Ω）なるように設定していたとする。
【００４５】
そして、Ｚ軸方向の抵抗値を、抵抗膜を透明金属格子電極で上下にはさみ、指先で５００ｇ及び５０ｇの加重をかけたときの透明金属格子電極間の抵抗値を測定した際において、感圧抵抗シート１１Ａの透明フィルムの強度が過剰に弱い、つまり撓みが生じるあるいは予めそのようにこしの無い材料で作成されていた場合は、指圧５０ｇで押圧しても抵抗値が低く（強い押圧力の場合の抵抗値）が検知されることがある。
【００４６】
一方、上記の逆で感圧抵抗シート１１Ａの透明フィルムの強度として過剰に高い（撓まない）材料で作成していた場合は、指圧５００ｇの強い圧力で押圧しても抵抗値が高く（弱い押圧力の場合の抵抗値）が検知されることがある。
【００４７】
すなわち、感圧抵抗シート１１Ａの強度を適正にしておかなければ誤検知が生じる可能性があり、Ｚ軸方向の押圧量検知のための適度な強度の向上させて自然で正確な押圧量検知できないのである。
【００４８】
したがって、本発明の触覚センサ１１は、感圧抵抗シート１１に透明フィルムを採用して、（透明でも不透明でも適用可能なように）まず透明性を確保し、そのうえでに表裏を貫通する複数の孔を形成し、さらに導電塗剤を前記孔に含浸させつつ表裏面に塗布することで、透明性の調整を変更し得る構成とすると共に、これら複数の孔でもって強度を適性に調整し得る構成としているのである。
【００４９】
このことから、本発明の触覚センサ１１は、感圧抵抗シート１１Ａが非浸透性であるため、厚みを制御しやすいと共に透明性を維持しながら（場合によっては透明性も制御しつつ）感圧性を持たせることが可能であり、かつ、基本的に感圧抵抗シート１１Ａの材料（透明フィルム）が透明であることから、予め透過率の制約に余裕が生じ、よって導電剤の種類や塗布量の自由度が高く、したがって、用途が幅広くなるという利点がある。
【００５０】
この本発明の触覚センサ１１の適用例として図１に示す情報ボードシステム１及び情報ボード３は、例えば、指示体Ｐとして指で強く押して操作した部分は、該情報ボード３において高い抵抗値が検知され、情報生成手段４でその抵抗値を太い線で表示する情報の信号に変換すると共に情報生成手段４にて用意した例えば画像のデータを映写手段２に出力し、情報ボード３の後側に配置した映写手段２から出力光が映写される。
【００５１】
本発明の触覚センサ１１は、情報ボードシステム１及び情報ボード３に用いる際には、触覚センサ１１全体としての透過率を２０〜７０％とすればよい。この理由は、透過率が２０％より低いと、情報ボード３としての全体の透過率が低くなる可能性があり、映写手段２からの出力光が遮られ、映写された像の明るさが暗く、使用環境が明るい部屋などであると前側の見者や筆者が映写された像を認識しにくくなり、一方、透過率が７０％より高いと、光源としての映写手段２の出力光が見えるだけとなり、まぶしくかつ映写された像の全体が認識しにくくなる。
【００５２】
こうすることで、例え見者が映写手段２の光源と、情報ボード３を介して一直線上にあっても、本発明の情報ボード３であれば、まぶしいことはなく、また、該情報ボード３が全体的に明るいので表示された像を明確に見ることができる。筆者もまた同様に、見者より映写手段２に近い位置にあってもまぶしいことはなく、明確に像が表示されているから、操作が確実に行える。
【００５３】
また、本発明の触覚センサ１１を採用することで、上記透過率２０〜７０％を満たすようにする構成には、制約が無くなり、例えば電極シート１１Ｂでもって透過率の条件を満たすようにしてもよいし、あるいは感圧抵抗シート１１Ａについて孔１１ａの孔径やピッチ、導電剤の塗布厚などでもって、感圧検知能と強度とのバランスを考慮してこれらを調整して満たすようにしてもよい。さらには、情報ボード３自体の構成に別途スクリーンを該情報ボード３の裏面側（映写手段２側）に設ける、貼着する、などして透過率２０〜７０％を満たすようにしてもよい。
【００５４】
さらに、本発明の触覚センサ１１は、図示しないが、例えば３次元型のタッチパネルとして使用することもできる。この場合、触覚センサ１１は限りなく透明（透過率が７０〜９０％）であることが望ましい。この理由は、当然、タッチパネルとした場合の触覚センサ１１の裏面側の表示装置の表示が透過率７０％より低いと見にくくなるからであり、一方、透過率９０％を超える条件は、現時点では達成困難であると共に原材料的に限界があり、達成しようとすると非常にコスト高となる。
【００５５】
このようにすることで、従来の２次元型のタッチパネルで操作できなかった例えば押圧力の情報も検知できるから（この点は情報ボード３でも同様）、Ｚ軸方向の押圧量検知のための適度な強度の向上させて自然で正確な押圧量検知を図ることができ、例えば筆圧に応じて色が濃くなったり、線が太くなったり、といった表示バリエーションを設けることができる。
【００５６】
以下に、本発明の触覚センサ１１の具体的構成と動作試験結果について説明する。動作試験は、実施例１，２、比較例１，２、の各感圧抵抗シート構成において、以下の方法によって、Ｚ軸方向の押圧量検知のための適度な強度の向上させて自然で正確な押圧量検知ができたか否かについての検査である。
【００５７】
評価方法は、各感圧抵抗シートに５０ｇ及び５００ｇの荷重をかけて、ｓａｎｗａ製の「ＤＩＧＩＴＡＬ  ＭＵＬＴＩＭＥＴＥＲ  ＰＣ５２０Ｍ」を用いて抵抗値を測定し、この結果が、５０ｇの荷重をかけた際に測定された抵抗値が２０００Ω±１０％の範囲内でかつ５００ｇの荷重をかけた際に測定された抵抗値が２００Ω±１０％の範囲内であれば「○」とし、前記両者の抵抗値の範囲がどちらか一方でも外れる場合は「×」とした。
【実施例１】
【００５８】
感圧抵抗シート１１Ａは、厚み１００μｍで破断強度が２２０ＭＰａのポリエチレンテレフタレートでなる透明フィルムに、孔径５０μｍ、ピッチ１０ｍｍで等間隔に複数の孔１１ａを形成し、この透明フィルムに、カーボンナノチューブが１ｗｔ％の水分散塗剤を、ウエット１５ｇ／ｍ2 にて孔１１ａに含浸させつつ表裏両面に塗布して作成した。
【００５９】
上記感圧抵抗シート１１Ａの表裏面に、液体吐出装置により６×４ｍｍのピッチにて、径１００μｍの硬化型アクリル樹脂でなるドットスペーサーＳを設けて、メッシュライン幅１２μｍｍ、メッシュピッチ２５０μｍ、バイアス角度４５度の銅エッチングメッシュした電極シート１１Ｂ，１１Ｂを、導電側が内側となるように（感圧抵抗シート１１Ａに面するように）ドットスペーサーＳを介して感圧抵抗シート１１Ａの表裏面に設けた。
【実施例２】
【００６０】
上記実施例１の構成において、感圧抵抗シート１１Ａの透明フィルムとして、厚み１００μｍで破断強度が２２０ＭＰａのポリエチレンテレフタレートを用い、上記と同じ孔径、ピッチにて複数の孔１１ａを形成し、この透明フィルムに、上記のカーボンナノチューブに代えて銀ナノワイヤーをウエット１５ｇ／ｍ2 にて孔１１ａに含浸させつつ表裏両面に塗布して感圧抵抗シート１１Ａを作成した。その他は上記実施例１と同じ構成である。
【００６１】
（比較例１）
厚み１００μｍで破断強度が２０ＭＰａのポリエチレンにカーボンを混入させて感圧抵抗シート１１Ａとした（孔１１ａは形成していない）。その他は上記実施例１と同じ構成である。
【００６２】
（比較例２）
厚み８０μｍのポリエステル生地に、カーボンナノチューブが１ｗｔ％の水分散塗剤を、ウエット１５ｇ／ｍ2 にて塗布（含浸）することにより、感圧抵抗シートとした（孔１１ａは形成していない）。その他は上記実施例１と同じ構成である。
【００６３】
評価結果は次のとおりである。実施例１，２は、単位面積当たりの荷重（押圧力）に対して、中央部、面の端部、において、共に設定荷重に対して抵抗値の範囲内となった（「○」）。一方、比較例１，２は、単位面積当たりの荷重（押圧力）に対して、中央部、面の端部、において設定荷重に対して抵抗値の範囲外となることがあった（「×」）。
【００６４】
ちなみに、比較例１は透明ではないので、当然に３次元型のタッチパネルへの転用、及び背面照射型の情報ボードへの転用ができず、一方、比較例２は上記条件での塗布量では透過率２０〜７０％の範囲内となるので３次元型のタッチパネルへの転用は無理があるが、上記の押圧力のばらつきを無視すれば情報ボードへの転用は可能であった。
【符号の説明】
【００６５】
１  情報ボードシステム
２  映写手段
３  情報ボード
４  情報生成手段
１１  触覚センサ
１１Ａ  感圧抵抗シート
１１Ｂ  電極シート
Ｓ  ドットスペーサ
Ｐ  指示体
【図１】
0005702202.tif 000002
【図２】
0005702202.tif 000003